(57)【要約】【課題】  足の各指の握る方向および伸ばす方向に対する足趾力をそれぞれ計測することができる足趾力測定装置を提供すること。【解決手段】  足趾力測定装置１は、足の指の筋力である足趾力を測定する装置であり、足を載置する台座２と、この台座２に設けられ、かつ、測定する足を固定する固定手段６と、この固定手段６に対向して台座２に設けた計測器３とを備えている。計測器３は、足の指を挿入するリング４と、このリング４を接続するレバー３ｃと、このレバー３ｃが設けられ、かつ、当該レバー３ｃの一方向における移動に連動して足趾力を計測する計測機構と、この計測機構により計測された足趾力を表示する表示部３ｅとを有する。【選択図】      図１
2006006369.tif 000002
【特許請求の範囲】
【請求項１】
足の指の筋力である足趾力を測定する足趾力測定装置であって、
足を載置する台座と、
この台座に設けられ、かつ、測定する足を固定する固定手段と、
この固定手段に対向して前記台座に設けた計測器と、を備え、
前記計測器は、前記足の指を挿入するリングと、
このリングを接続するレバーと、
このレバーが設けられ、かつ、当該レバーの一方向における移動に連動して前記足趾力を計測する計測機構と、
この計測機構により計測された足趾力を表示する表示部と、
を有することを特徴とする足趾力測定装置。
【請求項２】
前記計測器は、スライドガイドを介して前記台座に設けられると共に、前記台座に設けた位置調整手段により前記スライドガイドに案内されて、前記台座に沿って移動自在に設けられ、
前記位置調整手段は、前記計測器に接続された接続部材を介して前記計測器を前記スライドガイドに沿って移動させる移動手段と、
この移動手段による前記計測器の移動方向を抑制する抑制手段とを備えること
を特徴とする請求項１に記載の足趾力測定装置。
【請求項３】
前記台座は、前記リングが対面する位置にそのリングの内径より大きな凹部を設けたことを特徴とする請求項１または請求項２に記載の足趾力測定装置。
【請求項４】
前記固定手段は、測定される足が載置される載置板と、
この載置板に設けられ、足の甲に当接して当該足を前記載置板に固定するバンドと、を備え、
前記載置板が前記台座に回動自在に設けられていること
を特徴とする請求項１ないし請求項３のいずれか１項に記載の足趾力測定装置。
【発明の詳細な説明】
【技術分野】
【０００１】
本発明は、足の指の筋力（以下、「足趾力」という）を計測するための足趾力測定装置に関する。
【背景技術】
【０００２】
一般に、スポーツの分野において、走り出す、急停止する、跳ねる、転倒を防止するために踏ん張る動作などをするときには、足趾力による微調整が働いて、立位姿勢のバランスを保っている。そのため、スポーツにおいて、各種の競技者は、足趾力測定装置を介して足趾力を計測することで、各競技に必要な足趾力が判り、それぞれの競技特性を知り得ることができると共に、その競技を行う者にとって必要な足趾力を獲得するための努力目標が構築できるようになる。
【０００３】
医学的には、足趾力を使うことにより、心臓から最も低く遠い爪先からの筋肉の収縮作用（ミルキングアクション）によって、血液の循環が促進され、健康の保持・増進が行われ、また、足趾力を強くすることにより、高齢者や子供の転倒を予防することもできることが知られている。
そして、医学の臨床の現場においては、ケガで低下した足の指の足趾力を筋力回復トレーニングやリハビリなどをどれ位の量をどれ位の期間行えば回復して元の足趾力に戻るか目標を設定できるようにすることが望まれ、足趾力測定装置が使用されることがある。
なお、足趾力が弱い者は、足の指の使用不足から土踏まずが形成されず、扁平足になり易いことが知られている。
これにより、足趾力測定装置により足趾力を測定することが今後、今以上に推進されていくと推測される。
【０００４】
そのため、従来から足の指の足趾力を計測するための足趾力測定装置は、様々なものが提案されている。
ここで、従来の足趾力測定装置の一例を示す。この従来の足趾力測定装置は、本体となる台座部材と、台座部材に足を固定するための柱部材と、足の５本の指全体により把持するレバーと、このレバーの移動により足の５本の指全体の足趾力を測定する測定部とから主に構成されている（例えば、特許文献１）。
このような足趾力測定装置に使用される足の指を係止するレバーは、手の握力を計測するための握力計をそのまま使用するものであって、略棒状に形成されている。
【特許文献１】特開２００２−３６０５５０号公報（段落００１０および００１５、図１および図２）
【発明の開示】
【発明が解決しようとする課題】
【０００５】
しかしながら、前記特許文献１に記載された足趾力測定装置は、足の指を係止するレバーが略棒状に形成されていて、そのレバーに足の全ての指を係止して、指を握る方向に曲げたときの５本の指全体の引張力を計測する装置であり、足の各指の足趾力をそれぞれ計測することはできなかった。このため、特定の足の指だけの足趾力を知りたくても、それぞれ足の指の足趾力は計測することができなかった。また、従来の足趾力測定装置は、足の指を握る方向の筋力を測定できても、足の指を伸ばす方向の筋力を測定することができなかった。
【０００６】
そこで、本発明者らは、人の健康度やスポーツ能力やリハビリの進捗度を測り知る上で、足の各指の足趾力を１本づつ計測できる足趾力測定装置の開発を目差して来た。
【０００７】
本発明の課題は、足の各指の握る方向および伸ばす方向に対する足趾力をそれぞれ計測することができる足趾力測定装置を提供することにある。
【課題を解決するための手段】
【０００８】
前記課題を解決するために、請求項１に記載の足趾力測定装置は、足の指の筋力である足趾力を測定する足趾力測定装置であって、足を載置する台座と、この台座に設けられ、かつ、測定する足を固定する固定手段と、この固定手段に対向して前記台座に設けた計測器と、を備え、前記計測器は、前記足の指を挿入するリングと、このリングを接続するレバーと、このレバーが設けられ、かつ、当該レバーの一方向における移動に連動して前記足趾力を計測する計測機構と、この計測機構により計測された足趾力を表示する表示部と、を有することを特徴とする。
【０００９】
請求項１に記載の本発明によれば、足趾力測定装置は、足趾力を計測する足の指にリングを嵌めて、そのリングを被計測者が引っ張ることにより、レバーが引っ張られ、その足の指で引っ張った足趾力が計測機構で計測されて、足趾力の数値が表示部に表示される。
【００１０】
請求項２に記載の足趾力測定装置は、請求項１に記載の足趾力測定装置であって、前記計測器は、スライドガイドを介して前記台座に設けられると共に、前記台座に設けた位置調整手段により前記スライドガイドに案内されて、前記台座に沿って移動自在に設けられ、前記位置調整手段は、前記計測器に接続された接続部材を介して前記計測器を前記スライドガイドに沿って移動させる移動手段と、この移動手段による前記計測器の移動方向を抑制する抑制手段とを備えることを特徴とする。
【００１１】
請求項２に記載の本発明によれば、被計測者は、足の指にリングを嵌めて、そのリングを引っ張ることにより、レバーの移動により計測機構を引っ張って、その足の指で引っ張った足趾力を計測することができる。そして、位置調整手段は、計測器を移動手段によりスライドガイドを介して移動させることによって、計測器のリングの位置を足の各指の足趾力を測定するのに適合した位置に調整する。その調整された計測器の位置は、抑制手段が移動手段の移動方向を抑制することにより固定される。
また、足趾力測定装置は、その位置調整手段の移動手段によって、計測器をスライドさせて一方向に移動させることで、足の指に嵌めたリングを引っ張ることにより、この引張力に耐えることができる足趾力を測ることも可能にする。
【００１２】
請求項３に記載の足趾力測定装置は、請求項１または請求項２に記載の足趾力測定装置であって、前記台座は、前記リングが対面する位置にそのリング内径より大きな凹部を設けたことを特徴とする。
【００１３】
請求項３に記載の本発明によれば、被計測者が足趾力の計測時に、足の指を握る方向に曲げたときに、リングとその指先が凹部内に沈み込むようになる。
【００１４】
請求項４に記載の足趾力測定装置は、請求項１ないし請求項３のいずれか１項に記載の足趾力測定装置であって、前記固定手段は、測定される足が載置される載置板と、この載置板に設けられ、足の甲に当接して当該足を前記載置板に固定するバンドと、を備え、前記載置板が前記台座に回動自在に設けられていることを特徴とする。
【００１５】
請求項４に記載の本発明によれば、被計測者は、足趾力測定装置で足趾力を計測するときに、まず、足を載置板に載置して、甲をバンドで止めて足を固定する。さらに、被計測者は、足の指にリングを嵌めて、足が載っている載置板を回動して計測する足の指の方向を計測するのに適合した向きに調整する。
【発明の効果】
【００１６】
本発明の請求項１の足趾力測定装置によれば、足の指を挿入するリングを有することにより、左右の足の各指１本１本の足趾力を計測することができる。
【００１７】
本発明の請求項２の足趾力測定装置によれば、被計測者が足の指でリングを引っ張って計測するときに、計測器が足趾力によって引っ張られて所定位置から移動してずれることを、抑制手段によって阻止して、足趾力を計測することができる。
【００１８】
本発明の請求項３の足趾力測定装置によれば、凹部を設けたことにより、計測する足の指の指先とリングとがその凹部内に沈み込むようになるため、足の指先とリングが台座の上面に接触して計測中のリングと指先とに余分な負担がかかり、足趾力の測定に支障を来すことを防止することができる。
【００１９】
本発明の請求項４の足趾力測定装置によれば、固定手段の載置板が台座に移動自在に設けられていることにより、計測する足の指の向きを計測器の中心線上に一直線になるように位置を調整することができるため、計測機構などが他のものと干渉することを防止して精度よく計測できるようにする。
【発明を実施するための最良の形態】
【００２０】
次に、図１〜図５を参照して、本発明の実施の形態に係る足趾力測定装置を詳細に説明する。図１は、足趾力測定装置を示す斜視図である。
【００２１】
＜足趾力測定装置＞
図１に示すように、足趾力測定装置１は、足の各指の足趾力を測定する測定装置であって、台座２と、この台座２に設けられて測定する被計測者の足を固定する固定手段６と、この固定手段６に対向して台座２に設けた計測器３と、この計測器３の位置を調整するための位置調整手段７と、を備えている。
【００２２】
＜台座＞
台座２は、計測器３、被計測者の足、固定手段６、位置調整手段７および接続部材８を載置するためのものであり、例えば、長方形の筒体からなり、中空のスチールなどの金属によって形成されている。台座２には、上面２ａの略中央部の両脇に、計測器３を固定した接続部材８を長手方向に摺動自在に支持するスライドガイド２ｂ，２ｂが設置されている。また、この台座２は、その上面２ａの一方側に、固定手段６が回動自在に軸支され、上面２ａの他方側に、位置調整手段７を設置するための支持板部材２３ａ，２３ｂが立設されている。
なお、以下の説明において、便宜上、足趾力測定装置１の一方側を「後側」と呼び、他方側を「前側」と呼ぶこととする。
【００２３】
台座２の上面２ａは、水平な面からなり、その上面２ａの略中央部に、接続部材８のスライダ８ａとアーム１２の連結用突起１２ａの下面とが摺動自在に配置され、後記する計測器３のリング４が対面する位置にそのリング４の内径より大きな凹部２ｃが設けられている。この凹部２ｃは、計測時にリング４および足の指が没入する貫通孔または溝からなる。
スライドガイド２ｂは、ここでは上面２ａの幅方向の両端部に沿って平行に配置された細長い２枚の金属板からなり、台座２に溶接手段などによって一体に形成されている。
【００２４】
＜計測器＞
計測器３は、被計測者の足の各指で引っ張る足趾力を計測して表示するためのものであり、例えば、レバー３ｃに負荷された引張力を計測機構３ｄ（図２参照）で検出してなる電気式足趾力測定装置である。計測器３は、計測器本体３ａと、ガイド部３ｂと、レバー３ｃと、ばね部材（図示せず）と、計測機構３ｄと、表示部３ｅと、スタートスイッチ３ｆと、リセットスイッチ３ｇと、連結手段５と、リング４とを備えている。計測器３は、スライダ８ａを介してスライドガイド２ｂに沿って移動自在に設けられている。
【００２５】
図１に示すように、計測器本体３ａは、計測器３の外観形状を形成するハウジングであり、金属または合成樹脂によって形成されている。計測器本体３ａは、例えば、一般に使用されている握力計と類似の構造からなる。
ガイド部３ｂは、レバー３ｃの移動をガイドする部材であり、計測器本体３ａの後側に設置された略コ字状の部材からなる。
【００２６】
レバー３ｃは、計測器３において、被計測者がリング４を足の指で引っ張った足趾力が負荷される部材であり、例えば、ガイド部３ｂ内に摺動自在に設置された略コ字状の部材からなる。レバー３ｃには、後記する連結手段５のアーム１２が掛止され、このアーム１２および牽引用ワイヤ９を介してリング４が連結されている。
前記ばね部材（図示せず）は、レバー３ｃが被計測者によって引っ張られる方向と反対の方向に付勢して復帰させるための弾性部材であり、例えば、引張コイルばねからなる。
【００２７】
表示部３ｅは、足の各指によってリング４を引っ張ることによって、レバー３ｃに負荷された足趾力（ｋｇ）を計測した結果、数字としてデジタル表示するものであり、例えば、液晶表示装置からなる。
スタートスイッチ３ｆは、計測器用電源３ｋ（図２参照）をＯＮさせて、計測器３を始動させるためのスイッチである。
リセットスイッチ３ｇは、表示部３ｅに表示された足趾力を表す数値を０にリセットするためのスイッチである。
【００２８】
＜計測機構＞
図２は、足趾力測定装置を示すブロック図である。
図２に示す計測機構３ｄは、レバー３ｃが設けられ、このレバー３ｃの一方向における移動に連動して足趾力を計測するものであり、計測器本体３ａ内に設けられている。
前記計測器３は、足趾力によって引っ張られた荷重を荷重検出部３ｈで検出し、その荷重に対応するアナログ信号をデジタル信号に変換して所定時間ごと、例えば０．２秒ごとにＣＰＵ（中央処理装置）３ｊにてサンプリングされた測定データをＣＰＵ３ｊで演算処理して計量値を決定し、その計量値を表示部３ｅに表示するように構成されている。
【００２９】
計測器３の電気回路は、図２に示すように、荷重検出部３ｈと、Ａ／Ｄコンバータ３ｉと、ＣＰＵ３ｊと、計測器用電源３ｋと、スタートスイッチ３ｆと、リセットスイッチ３ｇと、表示部３ｅとから構成されている。
荷重検出部３ｈは、足趾力を検出する荷重センサであり、レバー３ｃで受けた荷重に基づくアナログ信号を発生する。この荷重検出部３ｈには、例えば、レバー３ｃに負荷された荷重を検出する歪ゲージを用いたロードセル式、静電容量式あるいはレバー３ｃに引っ張られて移動した距離を検出する可変抵抗器式などのセンサが用いられる。
Ａ／Ｄコンバータ３ｉは、荷重検出部３ｈで検出した足趾力に対応するアナログ信号をデジタル信号に変換する装置であり、一方を荷重検出部３ｈに電気的に接続し、他方をＣＰＵ３ｊに電気的に接続している。
【００３０】
ＣＰＵ３ｊは、荷重検出部３ｈで検出したレバー３ｃに負荷された足趾力を表示部３ｅに表示させるための電気回路である。このＣＰＵ３ｊは、Ａ／Ｄコンバータ３ｉからのデジタル信号から表示部３ｅに表示する足趾力（ｋｇ）の数値の演算を行う演算回路と、表示部３ｅに表示させるための駆動回路と、電源回路とから主に構成されている。なお、ＣＰＵ３ｊは、計測器本体３ａに内設された回路基板（図示せず）上に載設されている。
前記スタートスイッチ３ｆ、リセットスイッチ３ｇ及び表示部３ｅは、それぞれＣＰＵ３ｊに電気的に接続されている。
計測器用電源３ｋは、例えば、計測器本体３ａに内設された電池からなり、ＣＰＵ３ｊに電気的に接続されている。
【００３１】
＜リング＞
図１に示すリング４は、足趾力を計測する足の指が挿入される部材であり、足の指の第１関節より指先側に遊嵌する指輪形状の輪形部材からなる（図４（ｂ）参照）。リング４は、金属または合成樹脂によって形成されている。リング４の計測器３側の外周部には、牽引用ワイヤ９の後端部に設けられた環状部９ａに貫通される連結ピン１０を設置するための連結用突起４ａが一体に形成されている。リング４は、台座２の凹部２ｃ上に配置されており、大人から子供までの足の親指、人差指、中指、薬指および小指にそれぞれ遊嵌させるのに適した大きさのものを複数交換可能に備えられてなる。そして、リング４は、牽引用ワイヤ９をアーム１２から着脱することによって、被計測者の足の各指の大きさに合ったものに適宜に交換可能に設置されている。
なお、リング４は、例えば、このリング４から牽引用ワイヤ９を分離することによって、リング４を他のリング４に交換できるようにしてもよく、分離できる箇所は特に限定されない。
【００３２】
＜連結手段＞
連結手段５は、レバー３ｃとリング４とを連結するための部材であり、例えば、計測器３の後方側に配置されるアーム１２と、このアーム１２とリング４とを連結する牽引用ワイヤ９と、リング４と牽引用ワイヤ９とを接続する連結ピン１０と、牽引用ワイヤ９とアーム１２とを接続する連結ピン１１とから構成されている。
【００３３】
牽引用ワイヤ９は、例えば、金属製のワイヤからなり、両端部にはそれぞれ連結ピン１０，１１が挿通される環状部９ａ，９ｂを有する。
なお、この牽引用ワイヤ９は、ワイヤに限定されるものではなく、例えば、鎖などのような丈夫な紐状の部材であってもよい。
【００３４】
連結ピン１０は、スチール製のピンからなり、平面視してコ字状の連結用突起４ａに水平に穿設された貫通穴に嵌着されている。
連結ピン１１は、例えば、スチール製の丸棒からなり、平面視してコ字状の連結用突起１２ａに水平に穿設された貫通穴に着脱自在に嵌合されている。連結ピン１１は、連結用突起１２ａの幅より長く形成されて、両端が連結用突起１２ａに両側面から突出して指で摘んで抜き取り易い長さに形成されている。
【００３５】
＜アーム＞
アーム１２は、牽引用ワイヤ９に負荷された足趾力をレバー３ｃに伝達するための部材であり、例えば、スチールなどの金属によって形成されている。アーム１２は、略鉤状に形成されて、前端部がレバー３ｃに掛止され、中央部がレバー３ｃおよびガイド部３ｂを迂回するようにコ字状に形成されて、後端部が台座２の上面２ａ上を摺動するように側面視してＬ字状に形成されている。このアーム１２の後端部には、平面視してコ字状の連結用突起１２ａが固定手段６に向けて形成されている。
【００３６】
連結用突起１２ａは、アーム１２に牽引用ワイヤ９を連結する箇所であり、台座２の上面２ａに摺動自在に配置されている。連結用突起１２ａには、例えば、水平方向に形成されて連結ピン１１を着脱自在に取り付けることができる貫通孔１２ｂと、この貫通孔１２ｂに直交する方向（垂直方向）に形成された縦溝状の切欠部１２ｃとが形成されている。
切欠部１２ｃには、牽引用ワイヤ９の環状部９ｂが挿入されると共に、その環状部９ｂに連結ピン１１を挿通することによって、牽引用ワイヤ９の端部が連結されている。
【００３７】
＜固定手段＞
図１に示す固定手段６は、被計測者の計測する側の足を固定するためのものであり、台座２の上面２ａの後端部に回動軸１３ａを中心に回動自在に設けられている。固定手段６は、台座２の上面２ａ上に回転自在に載置された載置板１３と、足の踵の後側を支持する支持板１４と、足の甲に嵌められるバンド１５とから構成されている。
【００３８】
＜載置板＞
載置板１３は、被計測者の計測する側の足を載置して、計測する足の指を計測器３の中心線上に配置することができるように、回転移動させて足の各指の位置を調整できる長方形の平板部材であり、金属または合成樹脂によって形成されている。載置板１３は、この載置板１３の上に足を載せたときに、足の各指が載置板１３の前端からはみ出る長さに形成されている（図３（ａ）参照）。載置板１３は、略中央部に回動軸１３ａが設置され、後端側に支持板１４が立設されて、先端部にバンド１５が設置されている。載置板１３は、足をこの載置板１３の上に載せたときに、足の踵の中心位置に回動軸１３ａが設置されて、この回動軸１３ａを中心として回動自在に台座２の後端部に設けられている。
【００３９】
＜支持板＞
支持板１４は、載置板１３に載せた足のアキレス腱の部位を支持することで、被計測者の足が後方側に移動することを阻止する部材であり、金属または合成樹脂によって形成されている（図３（ｂ）参照）。図１に示すように、支持板１４は、載置板１３の後端部の板面に、前後方向に位置を調整可能に設置した平板部材からなる取付部１４ａと、この取付部１４ａの前端に垂直に立設された湾曲状の板材からなる支持部１４ｂとを一体に形成してなる。
取付部１４ａには、支持板１４を載置板１３に固定するための止めねじＮを挿通する２つの長孔１４ｃが穿設されている。
長孔１４ｃは、載置板１３に載置した足の各指およびリング４が凹部２ｃ上に位置するように支持板１４の位置を足の大きさに合わせて前後左右方向に移動することができるように、前後左右方向に十字状に形成されている。
【００４０】
＜バンド＞
バンド１５は、足の甲が嵌められて、足が計測器３側に移動することを阻止するためのものであり、革製または繊維材料製の帯状部材からなる。バンド１５の両端部は、載置板１３の前側の両端部に固定されている。
なお、バンド１５は、被計測者の足の大きさに合わせて甲にフィットできるように長さを調整できるバックルや面ファスナなどを設けてもよい。
【００４１】
＜位置調整手段＞
位置調整手段７は、計測器３を前方側に引っ張ることによって、計測器３およびリング４の位置を調整する装置、または、足の指が前方向に引っ張られたときに耐えることができる足趾力を計測するために、接続部材８を介して計測器３を移動させることで、足の指が嵌められたリング４を引っ張る装置である。位置調整手段７は、計測器３に設けられた接続部材８に接続された調整用ワイヤ１６と、この調整用ワイヤ１６を移動させるための移動手段１７と、この移動手段１７の回動を抑止するための抑制手段２１とから構成されている。
【００４２】
＜接続部材＞
接続部材８は、計測器本体３ａの下面に固定されると共に、計測器３を引っ張る調整用ワイヤ１６の係止部１６ａが設けられる部材であり、例えば、側面視して略Ｌ字状のスチールなどの金属板によって形成されている。接続部材８は、計測器本体３ａを載設して台座２の上面２ａのスライドガイド２ｂ，２ｂ間に摺動自在に載置されたスライダ８ａと、このスライダ８ａの前端部に固定されたブラケット８ｂとから構成されている。
なお、スライダ８ａとブラケット８ｂは、１つの部材によって一体に形成してもよい。また、接続部材８は、計測器本体３ａと一体に設けたものであってもよい。
【００４３】
＜移動手段＞
移動手段１７は、例えば、調整用ワイヤ１６を手動的に巻き取って接続部材８を引っ張ることによって、計測器本体３ａをスライドガイド２ｂに沿って移動させて、リング４の位置を調整するための装置である。移動手段１７は、シャフト１８と、このシャフト１８と共に回転する歯車１９と、シャフト１８を回転させるための巻き取りバー２０と、歯車１９の回転を阻止するための抑制手段２１と、巻き取りバー２０に設けられたハンドル２２と、シャフト１８の左右端部を支持する支持板部材２３ａ，２３ｂとから構成されている。
【００４４】
調整用ワイヤ１６は、接続部材８を介して計測器本体３ａを引っ張るための部材であり、金属製ワイヤなどで構成されている。この調整用ワイヤ１６は、後端部にブラケット８ｂに係止される係止部１６ａを有し、前端部を移動手段１７のシャフト１８に巻回している。
なお、調整用ワイヤ１６は、ワイヤに限定されるものではなく、例えば、チェーンやベルトや鎖などのような丈夫な紐状の部材であってもよい。
【００４５】
＜シャフト＞
図１に示すように、シャフト１８は、金属製の軸部材からなり、中央部に調整用ワイヤ１６の前端部を固定している。シャフト１８は、一端側が支持板部材２３ａによって軸支され、他端側が支持板部材２３ｂによって支持されると共に、歯車１９および巻き取りバー２０を設けている。
【００４６】
＜抑制手段＞
抑制手段２１は、シャフト１８と一体の歯車１９の回転を阻止する部材であり、例えば、歯車１９の歯溝に係合する爪歯車からなる。抑制手段２１は、一端部が戻しばね（図示せず）を介して支持板部材２３ｂに回転自在に軸支され、他端部が歯車１９に噛合するように形成されている。
なお、抑制手段２１と歯車１９とは、シャフト１８の回転を阻止することができる機構ならば特に限定されず、例えば、ラチェット機構やフリクションストップ機構であってもよい。
【００４７】
＜巻き取りバー＞
巻き取りバー２０は、ハンドル２２の腕となる部材であり、一端部にシャフト１８の端部が装着され、他端部にハンドル２２が固着されている。
【００４８】
≪作用≫
次に、図１〜図５を参照して、本発明の実施の形態に係る足趾力測定装置の作用を足趾力の測定手順と共に説明する。
図３は、（ａ）は足趾力測定装置を示す平面図、（ｂ）は足趾力測定装置を示す側面図である。図４は、足趾力測定装置により遠心性足趾力を計測する状態を示す図であり、（ａ）は足の指をリングに嵌めたときの位置調整手段の状態を示す要部拡大側面図、（ｂ）はリングの位置を調整したときの位置調整手段の状態を示す要部拡大側面図、（ｃ）は位置調整手段でリングを引っ張ってリングから足の指が離れたときの状態を示す要部拡大側面図である。
【００４９】
＜リングのチェック＞
図４（ａ）、（ｂ）に示すように、リング４に測定する足の指が入るかチェックする。そして、リング４の大きさが足の指の大きさに適合しない場合には、リング４を被計測者の計測する足の指に合った別のリング４と交換する。リングは、大人の大きな足の親指や子供の小さな足の小指であってもその大きさに合わせて適宜に交換して使用することができる。
【００５０】
＜足の固定と支持板の位置調整＞
図３（ａ）、（ｂ）に示すように、足趾力を測定するときは、まず、測定しようとする側の足の各指を後側からバンド１５に入れると共に、踵の後側を支持板１４に押し当てるようにして載置板１３の上に足を載せる。
このとき、足の指が凹部２ｃからはみ出ている場合には、止めねじＮを緩めて、支持板１４を前後方向に移動させて、測定しようとする指が凹部２ｃ内に入るように位置を調整する。
【００５１】
＜足の指の向きの調整＞
次に、図３（ａ）に示すように、リング４に測定する足の指を入れて、アーム１２と牽引用ワイヤ９とリング４の中心とが一直線になるように、足を載せた載置板１３を回転させてリング４の位置合わせを行う。このようにすることで、図３（ａ）に示すようにアーム１２と牽引用ワイヤ９とリング４の中心とが一直線になり、牽引用ワイヤ９が切欠部１２ｃの開口端に接触して摩擦抵抗が発生し、計測値に影響することを防止することができる。このため、リング４に嵌める足の指は、親指から小指までの指の向きを、牽引用ワイヤ９を引っ張って計測するのに適切な方向に回動させて位置を調整することができる。
【００５２】
＜リングの位置調整＞
また、レバー３ｃとリング４との間には、アーム１２と牽引用ワイヤ９などからなる連結手段５が配設されていることにより、牽引用ワイヤ９が自由自在に曲がってリング４の位置状態を自由に変更できるようになる。これにより、足趾力を計測する計測者は、足の指に嵌めたリング４を自由に動かすことができるので、足趾力を計測し易い。
【００５３】
続いて、図１に示すように、計測者は、被計測者の様子を見ながらハンドル２２を矢印Ａ方向に回動して、巻き取りバー２０、歯車１９およびシャフト１８を共に回転させ、調整用ワイヤ１６が接続部材８を矢印Ｃの前方向に移動するように巻き取る（図４（ｂ）参照）。すると、接続部材８は、スライダ８ａがスライドガイド２ｂ，２ｂに案内されて前側に直線移動して、計測器本体３ａ、レバー３ｃ、アーム１２、牽引用ワイヤ９およびリング４を前側に移動させる。そして、ハンドル２２を調整用ワイヤ１６、アーム１２、牽引用ワイヤ９およびリング４が揺動しない程度（遊びがない状態）まで回転させて位置調整することで、足趾力測定装置１の位置調整が完了する（図４（ｂ）参照）。この位置調整された状態は、抑制手段２１が歯車１９の歯溝に噛合して逆回転することを防止することにより、調整用ワイヤ１６が矢印Ｄの後方向に移動することを阻止されるため、保持される。この地点を０地点とする。
そして、被計測者は、計測の準備ができたことを、牽引用ワイヤ９を巻き上げる計測者に合図をする。
【００５４】
＜遠心性足趾力の測定＞
次に、スタートスイッチ３ｆをＯＮして、計測器３を足趾力が計測できる状態にする。
図４（ｂ）に示すように、この状態で、計測者は、被計測者に最大限の把持力で引っ張るように指示する。被計測者は、足の指を握る方向に曲げてリング４を後方向に引っ張る。このとき、足の指先は、台座２の上面２ａ側に曲げられるが、その足の指やリング４がある下に凹部２ｃが形成されているため、指先およびリング４が台座２に接触することを防止することができる。これにより、足の指先およびリング４が台座２に接触して計測中に指先に余分な負担がかかり、足趾力の測定に支障を来すことがない。
計測者は、ハンドル２２を矢印Ａ方向に一定の速さで回転して調整用ワイヤ１６を巻き上げ、リング４を矢印Ｄの前方向に引っ張る。
【００５５】
図４（ｃ）に示すように、やがて、被計測者は、計測者がハンドル２２を回転させてリング４を引っ張る力に対して耐えることができなくなり、「止めて下さい」の申告、または、足の指がリング４から離脱することで計測をストップする。このときに足の指で耐えた足趾力を計測機構３ｄ（図２参照）で測る。
この足趾力は、リング４、牽引用ワイヤ９、連結ピン１１およびアーム１２を介してレバー３ｃを後方向に引っ張り、荷重検出部３ｈ(図２参照)に負荷される。
【００５６】
前記足趾力は、図２に示す荷重検出部３ｈで読み取られてアナログ信号に変換され、このアナログ信号をＡ／Ｄコンバータ３ｉでデジタル信号に変換して、ＣＰＵ３ｊに送られる。ＣＰＵ３ｊでは、そのデジタル信号を演算すると共に、表示部３ｅに駆動信号を送り、計測された足趾力を表示部３ｅに表示させる。
以上で、足の指の足趾力の測定が終了する。
【００５７】
＜他の足の指の足趾力測定＞
さらに、続けて他の指の足趾力を測定する場合には、図３（ａ）に示すように、指をリング４から抜き出して、次に計測する指をリング４に入れる。
次に、前記と同じようにアーム１２と牽引用ワイヤ９とリング４の中心とが一直線になるように、足を載せた載置板１３を回転させてリング４の位置合わせを行う。続いて、ハンドル２２を回転して位置調整手段７によって調整用ワイヤ１６、アーム１２、牽引用ワイヤ９およびリング４の遊びを解消して位置調整する。リセットスイッチ３ｇを押圧操作して、表示部３ｅを０の状態に復帰させる。
【００５８】
そして、前記同様に、被計測者が、足の指を握る方向に曲げてリング４を引っ張り、計測者は、ハンドル２２を矢印Ａ方向に一定の速さで回転させて、調整用ワイヤ１６を巻き上げてリング４を矢印Ｄの前方向に引っ張り、被計測者がその引っ張り力に耐えることができなくなるまで巻き続ける。そのときに表示部３ｅに表示された数値を被計測者の足趾力とする。このように、足趾力計測装置１は、左右の足の各指１本１本の足趾力を計測することができる。
【００５９】
＜足の指を伸ばす方向に対する足趾力の測定＞
また、足の指を伸ばす方向に対する足趾力の測定は、前記遠心性足趾力の測定方法で足趾力を測定するときに、足の指を上側に反らした状態でリング４を足の指に嵌めて、ハンドル２２を矢印Ａ方向に一定の速さで回転させて、調整用ワイヤ１６を巻き上げてリング４を矢印Ｄの前方向に引っ張り、被計測者が足の指を反らした状態でその引っ張り力に耐えることができなくなったときの足趾力を測る。このようにすることにより、足の指を伸ばす方向に対する足趾力も測定することができる。
【００６０】
＜求心性足趾力の測定方法＞
図５は、足趾力測定装置において求心性足趾力を計測する状態を示す図であり、（ａ）は足の指をリングに嵌めたときの状態を示す要部拡大側面図、（ｂ）はリングの位置を調整したときの状態を示す要部拡大側面図、（ｃ）は足の指でリングを引っ張っているときの状態を示す要部拡大側面図である。
【００６１】
また、足趾力測定装置１は、抑制手段２２によって位置調整手段７をロックして、被計測者が足の指を握る方向に曲げてリング４を引っ張ることによっても、足趾力を測定することができる。
まず、抑制手段２２（図１参照）を解除し、図５（ａ）に示すように、位置調整手段７をリング４の位置を足の指に合った位置に調整して、そのリング４に測定する指を挿入する。被計測者は、計測する足の指先を下方向に向けてリング４に係止し、この状態を被計測者または計測者によって保持される。
【００６２】
次に、抑制手段２２（図１参照）を歯車１９に噛合させてロック状態にし、図５（ｂ）に示すように、ハンドル２２を回転することによって調整用ワイヤ１６を巻き取り、位置調整手段７で足の指が嵌っているリング４を前方向に引っ張って、リング４の位置調整をはかる。この位置状態を０地点とする。
そして、計測者の計測開始の合図とともに、図５（ｃ）に示すように、被計測者は、足の指を握る方向に曲げてリング４を最大限の足趾力で引っ張る。このときの足趾力を計測機構３ｄ（図２参照）で測ることにより、被計測者の足の指の足趾力を計測することもできる。
【００６３】
なお、本発明は、前記実施の形態に限定されるものではなく、その技術思想の範囲内で種々の改造および変更が可能であり、本発明はこれら改造および変更された発明にも及ぶことは勿論である。以下、その変形例を説明する。なお、前記実施の形態と同じものは、同一符号を付記してその説明を省略する。
【００６４】
≪第１変形例≫
図６は、本発明の実施の形態に係る足趾力測定装置の第１変形例を示す図であり、（ａ）は足の小指の足趾力を計測しているときの状態を示す平面図、（ｂ）は足の親指の足趾力を計測しているときの状態を示す平面図、（ｃ）足の親指の足趾力を計測しているときの状態を示す側面図である。
図６(ａ)、（ｂ）、（ｃ）に示すように、第１変形例は、足を固定する固定手段３０を横方向に移動自在にしたものである。
台座３１は、牽引用ワイヤ９の中央付近が後端になるように、前記実施の形態と比較して短く形成されている。その後端面中央には、載置板３２のスライド突部３２ａが摺動自在に係合されたガイド溝３１ａが水平に形成されている。
固定手段３０は、載置板３２と、足の踵の後側を支持する支持板１４と、足の甲に嵌められるバンド１５とから構成されている。
【００６５】
＜載置板＞
載置板３２は、被計測者の足の各指を計測器３の中心線上に配置することができるように、足の各指の足趾力を正確に計測できるように横方向に摺動自在に形成されている。載置板３２は、高さと横幅とが台座３１と同じ長さに形成された長方形の厚板部材からなる。載置板３２は、この載置板３２の上に足全体を載置できる長さに形成されている。載置板３２の上面には、中央部にバンド１５が配置され、前端部に凹部３２ｂが形成されて、後端部に支持板１４が位置を前後方向に調整自在に配置されている。
【００６６】
例えば、足の小指の足趾力を計測するときには、図６（ａ）に示すように、足の小指とリング４と牽引用ワイヤ９とアーム１２とが一直線になるように載置板３２を横方向に移動させて調整してから足趾力を計測する。
【００６７】
また、足の親指の足趾力を計測するときには、同様に、図６（ｂ）、（ｃ）に示すように、足の親指とリング４と牽引用ワイヤ９とアーム１２とが一直線になるように載置板３２を横方向に移動させて調整してから足趾力を計測する。
このように、第１変形例の載置板３２は、横方向に移動するように設けても、前記実施の形態と同じような作用・効果が得られる。
【００６８】
≪第２変形例≫
図７は、本発明の実施の形態に係る足趾力測定装置の第２変形例を示す説明図である。
図７に示すように、第２変形例は、計測器４０と連結手段４１と位置調整手段４２の変形例である。
計測器４０は、レバー４０ａを引っ張れば表示部４０ｂに荷重（足趾力）が表示される電気式のはかりからなる。このように、計測器４０は、引張荷重を検出する測定器であればよい。
【００６９】
＜連結手段＞
連結手段４１は、計測器４０のレバー４０ａとリング４とを連結する部材であり、牽引用ワイヤ４１ｂと、ホルダ４１ａとから構成されている。
牽引用ワイヤ４１ｂは、後端の環状部４１ｃをリング４に設けられた連結ピン１０に遊嵌し、前端の環状部４１ｄをレバー４０ａに固着したホルダ４１ａに着脱自在に遊嵌している。
このように、連結手段４１は、牽引用ワイヤ４１ｂの前端部にホルダ４１ａを設けて、そのホルダ４１ａによって、レバー４０ａに着脱自在にすることにより、リング４を計測器４０に交換可能に設けてもよい。
【００７０】
＜位置調整手段＞
図７に示す位置調整手段４２は、前記実施の形態の手動式の位置調整手段７（図１参照）に、シャフト１８を電動回転させるモータ歯車機構４３を配設してなる。このように位置調整手段４２の移動手段４４は、手動式でも電気式であってもどちらでもよい。
モータ歯車機構４３は、モータ４３ａと、モータ歯車４３ｂと、このモータ歯車４３ｂの回転を減速させてシャフト１８を回転させる減速歯車４３ｃと、モータ４３ａの回転をコントロールする制御操作部４３ｄと、電源４３ｅとから構成されている。
【００７１】
このように、足趾力測定装置１は、モータ歯車機構４３を設けたことにより、モータ４３ａの回転によってシャフト１８を回転させて調整用ワイヤ１６を巻き取り、接続部材８を介して計測器３を引っ張って移動させることができる。このため、被計測者は、制御操作部４３ｄを操作することよって、リング４の位置を被計測者の足の指に合わせて電動的に調整することができる。
【００７２】
また、足趾力測定装置１は、その位置調整手段４２のモータ歯車機構４３によってリング４に嵌めた足の指を引っ張ることにより、この引張力に耐えることができる足の指の足趾力を電動的に測ることも可能にする。足趾力測定装置１は、リング４に足の指を嵌めて、制御操作部４３ｄを操作することにより、１人で容易に足趾力を計測できる。
【００７３】
≪第３変形例≫
図８は、本発明の実施の形態に係る足趾力測定装置の第３変形例を示す説明図である。
図８に示すように、第３変形例は、位置調整手段５０と計測器５４の変形例である。
【００７４】
＜位置調整手段＞
図８に示す位置調整手段５０は、前記第２変形例の移動手段４４（図７参照）の調整用ワイヤ１６に変えて、ねじ手段からなる移動手段５１とした。この移動手段５１は、モータ歯車４３ｂに噛合した減速歯車４３ｃと、この減速歯車４３ｃと一体に回転する雄ねじ部５２ａを揺するシャフト５２と、雄ねじ部５２ａに噛合する雌ねじ部８ｃが形成されたブラケット８ｂを有する接続部材８とを備えている。シャフト５２は、前端部を支持板部材５３、後端部を接続部材８によってそれぞれ軸支され、回転することによって、接続部材を前後方向に移動させる。
このように、移動手段４４は、ねじ手段や、ピニオン・ラックなど歯車手段によって接続部材８を介して計測器５４を移動させるようにしてもよい。
【００７５】
＜計測器＞
また、計測器５４は、握力計のような計器に限定されるものではなく、図８に示すように機械式のばねはかりからなるものであってもよい。計測器５４は、接続部材８のスライダ８ａ上に固定された計測器本体５４ａと、この計測器本体５４ａに内設されたコイルばね５４ｂと、コイルばね５４ｂの後端側に設けられたロッド５４ｃと、このロッド５４ｃに設けられた指針（表示部）５４ｄと、足趾力を示す目盛（表示部）５４ｅと、リング４と、このリング４とロッド５４ｃとを連結する連結手段５４ｆとから構成されている。
【図面の簡単な説明】
【００７６】
【図１】足趾力測定装置を示す斜視図である。
【図２】足趾力測定装置を示すブロック図である。
【図３】（ａ）は足趾力測定装置を示す平面図、（ｂ）は足趾力測定装置を示す側面図である。
【図４】足趾力測定装置により遠心性足趾力を計測する状態を示す図であり、（ａ）は足の指をリングに嵌めたときの位置調整手段の状態を示す要部拡大側面図、（ｂ）はリングの位置を調整したときの位置調整手段の状態を示す要部拡大側面図、（ｃ）は位置調整手段でリングを引っ張ってリングから足の指が離れたときの状態を示す要部拡大側面図である。
【図５】足趾力測定装置により求心性足趾力を計測する状態を示す図であり、（ａ）は足の指をリングに嵌めたときの状態を示す要部拡大側面図、（ｂ）はリングの位置を調整したときの状態を示す要部拡大側面図、（ｃ）は足の指でリングを引っ張っているときの状態を示す要部拡大側面図である。
【図６】本発明の実施の形態に係る足趾力測定装置の第１変形例を示す図であり、（ａ）は足の小指の足趾力を計測しているときの状態を示す平面図、（ｂ）は足の親指の足趾力を計測しているときの状態を示す平面図、（ｃ）足の親指の足趾力を計測しているときの状態を示す側面図である。
【図７】本発明の実施の形態に係る足趾力測定装置の第２変形例を示す説明図である。
【図８】本発明の実施の形態に係る足趾力測定装置の第３変形例を示す説明図である。
【符号の説明】
【００７７】
１      足趾力測定装置
２      台座
２ｂ    スライドガイド
２ｃ，３２ｂ  凹部
３，４０，５４  計測器
３ｃ，４０ａ  レバー
３ｄ    計測機構
３ｅ，４０ｂ  表示部
４      リング
６，３０  固定手段
７，４２，５０  位置調整手段
８      接続部材
１３，３２  載置板
１５    バンド
１７，４４，５１  移動手段
２１    抑制手段
１７，４４，５１  移動手段
２１    抑制手段
５４ｄ  指針（表示部）
５４ｅ  目盛（表示部）
【図１】
2006006369.tif 000003
【図２】
2006006369.tif 000004
【図３】
2006006369.tif 000005
【図４】
2006006369.tif 000006
【図５】
2006006369.tif 000007
【図６】
2006006369.tif 000008
【図７】
2006006369.tif 000009
【図８】
2006006369.tif 000010